(57)【要約】      （修正有）【課題】灯芯の長さと明るさとを調整することが可能なＬＥＤ灯油ランプを提供する。【解決手段】ＬＥＤ灯油ランプは、台座と、ＬＥＤモジュールと、ランプホルダ上に取り付けられてＬＥＤモジュールを覆うランプカバーとを備える。ランプホルダは、つまみ３０と、つまみと接続された伝動モジュール４０と、伝動モジュールと接続された昇降モジュール５０と、伝動モジュールと接続されＬＥＤモジュールの電流を制御するポテンショメータ７０とを有する。つまみを第１の方向に回転させると、昇降モジュールに取り付けられたＬＥＤモジュール６０が上昇するとともに明るさが強まる。つまみを第２の方向に回転させると、ＬＥＤモジュールが下降するとともに明るさが弱まる。【選択図】図４
0003213272.tif 000002
【実用新案登録請求の範囲】
【請求項１】
台座と、ＬＥＤモジュールと、ランプホルダ上に取り付けられてＬＥＤモジュールを覆うランプカバーと、を備えるＬＥＤ灯油ランプであって、
前記ランプホルダは、つまみと、前記つまみと接続された伝動モジュールと、前記伝動モジュールと接続された昇降モジュールと、前記伝動モジュールと接続されたポテンショメータと、を有し、
前記ＬＥＤモジュールは、前記昇降モジュール上に取り付けられ、
前記ポテンショメータは、前記ＬＥＤモジュールと電気的に接続され、前記ＬＥＤモジュールを通過する電流を制御し、
前記つまみが第１の方向に回転すると、前記伝動モジュールが前記昇降モジュールを駆動して前記ＬＥＤモジュールが上方へ移動するとともに、前記伝動モジュールにより前記ポテンショメータが駆動し、前記ＬＥＤモジュールの明るさが強まり、前記つまみが第２の方向で回転すると、前記伝動モジュールが前記昇降モジュールを駆動して前記ＬＥＤモジュールが下方へ移動するとともに、前記伝動モジュールにより前記ポテンショメータが駆動し、前記ＬＥＤモジュールの明るさが弱まることを特徴とするＬＥＤ灯油ランプ。
【請求項２】
前記伝動モジュールは、駆動歯車、伝動歯車及び従動歯車を含むギヤ群であり、
前記駆動歯車は、複数の駆動歯を有し、
前記駆動歯は、前記駆動歯車の周縁に沿って均等に設けられ、
前記伝動歯車は、複数の伝動歯を含み、
前記伝動歯は、前記伝動歯車の周縁に沿って均等に設けられ、各前記伝動歯間には、前記伝動歯車から径方向で突出された複数個の噛合部が形成され、前記駆動歯が噛合されることを特徴とする請求項１に記載のＬＥＤ灯油ランプ。
【請求項３】
前記従動歯車は、複数の外歯及び内歯を含み、
前記外歯は、前記従動歯車の周縁に沿って均等に設けられ、
前記内歯は、前記従動歯車の内縁に沿って均等に設けられて内歯部が形成され、
前記内歯部は、前記噛合部の中央部に係合されることを特徴とする請求項２に記載のＬＥＤ灯油ランプ。
【請求項４】
前記昇降モジュールは、伸縮杆と、前記伸縮杆上に設けた複数の歯車とを含み、
前記伸縮杆の頂部には、固定部が設けられ、
前記固定部には、前記ＬＥＤモジュールが係合され、
前記歯車は、前記伸縮杆の底部に沿って下から上方向へかけて配列され、下斜め前方に傾斜する歯車群が形成され、
前記歯車群は、前記外歯と噛合されることを特徴とする請求項１に記載のＬＥＤ灯油ランプ。
【請求項５】
前記ポテンショメータ上には、接続部が設けられ、
前記接続部は、前記伝動歯車と係合されることを特徴とする請求項１に記載のＬＥＤ灯油ランプ。
【請求項６】
前記伝動モジュール及び前記昇降モジュールのそれぞれは、絶縁ハウジングであることを特徴とする請求項１に記載のＬＥＤ灯油ランプ。
【請求項７】
前記ランプホルダの端部には、係合部が設けられ、
前記係合部上には、ランプヘッドと、前記ランプヘッドと係合された保護スリーブと、ランプカバーパッドと、が設けられ、
前記ランプヘッドは、前記昇降モジュール上に嵌設され、前記ランプホルダ内で前記昇降モジュールが縦方向で伸縮し、
前記保護スリーブは、前記ＬＥＤモジュール上に嵌合され、
前記ランプカバーパッドが前記係合部の内側に嵌設されることを特徴とする請求項１に記載のＬＥＤ灯油ランプ。
【請求項８】
前記ランプカバーの下部外側には、回転スリットが設けられ、
前記回転スリットが前記係合部に係合され、前記ランプカバー及び前記ランプホルダが回転されると前記ランプカバーパッド上に当接されることを特徴とする請求項７に記載のＬＥＤ灯油ランプ。
【請求項９】
前記台座をさらに備え、
前記台座は、底蓋と、前記底蓋上を覆う上蓋と、前記上蓋内に取り付けられた電源システムと、を含み、
前記底蓋上には、滑り止めゴム及び鉄板が設けられ、
前記滑り止めゴム及び前記鉄板は、前記台座を固定するために用いられ、
前記上蓋内には、スピーカ及びフレームが取り付けられ、
前記フレーム上には、複数の支持ピンで前記スピーカが固定されることを特徴とする請求項１に記載のＬＥＤ灯油ランプ。
【請求項１０】
前記電源システムは、回路基板、電源及びＢｌｕｅｔｏｏｔｈ（登録商標）レシーバを含み、
ＵＳＢインタフェースにより電源を供給して充電し、
前記回路基板上には、前記ＬＥＤモジュール及び前記スピーカを制御する押しボタンが設けられることを特徴とする請求項９に記載のＬＥＤ灯油ランプ。
【考案の詳細な説明】
【技術分野】
【０００１】
本考案は、ＬＥＤランプに関するものであり、さらに詳しくは、灯芯の長さと明るさとが調整可能なＬＥＤ灯油ランプに関するものである。
【背景技術】
【０００２】
ＬＥＤランプは、緑色の光源であり、安全で環境汚染を防ぎ、長寿命、低消費電力であり、明るいという長所を有し、各種指示、表示、装飾、バックライト、一般の照明及びイルミネーションに応用することができる。室内照明には、各種雰囲気を醸し出すＬＥＤ装飾ランプが設置される。例えば、従来の灯油ランプは、外観が美感を有し、看者には昔の時代に戻ったような懐かしい感覚を与え、室内の雰囲気を変え、人々に様々な喜びを与える。しかし、従来技術によるＬＥＤランプの大部分は押しボタンによりランプをオン・オフするため使い難い上、光線の明るさが調整できないため、ＬＥＤランプにより雰囲気を変化させることもできず、ＬＥＤランプの光線が明るすぎてランプの寿命が短くなることが指摘されてきた。
【考案の概要】
【考案が解決しようとする課題】
【０００３】
従って、本考案の主な課題は、構造が簡素で、設計が合理的で、外観が良く、ＬＥＤランプの実用度及び使用寿命が向上し、製造コストが少なく、携帯及び使用が容易なＬＥＤ灯油ランプを提供することにある。
【課題を解決するための手段】
【０００４】
そこで、本考案者は、前記課題を解決するための鋭意検討を重ねた結果、つまみを回転させると伝導モジュールが回転し、伝動モジュールにより昇降モジュールが回転し、ランプカバー内でＬＥＤモジュールが上下移動し、ＬＥＤモジュールの明るさの強弱の調節が可能となる構成に着目し、かかる知見に基いて本考案に到達した。
すなわち、本考案の主な目的は、構造が簡素で、設計が合理的で、見た目が良く、つまみを回転させると伝動モジュールが回転し、伝動モジュールにより昇降モジュールが回転し、ランプカバー内でＬＥＤモジュールが上下移動し、ＬＥＤモジュールの明るさの強弱の調節が可能となり、ＬＥＤランプの実用度及び使用寿命が向上し、製造コストが少なく、携帯及び使用が容易なＬＥＤ灯油ランプを提供することにある。
【０００５】
かくして、本考案の要旨は次の（１）〜（１０）に記載の通りのものである。
（１）台座と、ＬＥＤモジュールと、ランプホルダ上に取り付けられてＬＥＤモジュールを覆うランプカバーと、を備えるＬＥＤ灯油ランプであって、
前記ランプホルダは、つまみと、前記つまみと接続された伝動モジュールと、前記伝動モジュールと接続された昇降モジュールと、前記伝動モジュールと接続されたポテンショメータと、を有し、
前記ＬＥＤモジュールは、前記昇降モジュール上に取り付けられ、
前記ポテンショメータは、前記ＬＥＤモジュールと電気的に接続され、前記ＬＥＤモジュールを通過する電流を制御し、
前記つまみが第１の方向に回転すると、前記伝動モジュールが前記昇降モジュールを駆動して前記ＬＥＤモジュールが上方へ移動するとともに、前記伝動モジュールにより前記ポテンショメータが駆動し、前記ＬＥＤモジュールの明るさが強まり、前記つまみが第２の方向で回転すると、前記伝動モジュールが前記昇降モジュールを駆動して前記ＬＥＤモジュールが下方へ移動するとともに、前記伝動モジュールにより前記ポテンショメータが駆動し、前記ＬＥＤモジュールの明るさが弱まることを特徴とするＬＥＤ灯油ランプ。
（２）前記伝動モジュールは、駆動歯車、伝動歯車及び従動歯車を含むギヤ群であり、
前記駆動歯車は、複数の駆動歯を有し、
前記駆動歯は、前記駆動歯車の周縁に沿って均等に設けられ、
前記伝動歯車は、複数の伝動歯を含み、
前記伝動歯は、前記伝動歯車の周縁に沿って均等に設けられ、各前記伝動歯間には、前記伝動歯車から径方向で突出された複数個の噛合部が形成され、前記駆動歯が噛合されることを特徴とする前記（１）に記載のＬＥＤ灯油ランプ。
（３）前記従動歯車は、複数の外歯及び内歯を含み、
前記外歯は、前記従動歯車の周縁に沿って均等に設けられ、
前記内歯は、前記従動歯車の内縁に沿って均等に設けられて内歯部が形成され、
前記内歯部は、前記噛合部の中央部に係合されることを特徴とする前記（２）に記載のＬＥＤ灯油ランプ。
（４）前記昇降モジュールは、伸縮杆と、前記伸縮杆上に設けた複数の歯車とを含み、
前記伸縮杆の頂部には、固定部が設けられ、
前記固定部には、前記ＬＥＤモジュールが係合され、
前記歯車は、前記伸縮杆の底部に沿って下から上方向へかけて配列され、下斜め前方に傾斜する歯車群が形成され、
前記歯車群は、前記外歯と噛合されることを特徴とする前記（３）に記載のＬＥＤ灯油ランプ。
（５）前記ポテンショメータ上には、接続部が設けられ、
前記接続部は、前記伝動歯車と係合されることを特徴とする前記（２）に記載のＬＥＤ灯油ランプ。
（６）前記伝動モジュール及び前記昇降モジュールのそれぞれは、絶縁ハウジングであることを特徴とする前記（１）に記載のＬＥＤ灯油ランプ。
（７）前記ランプホルダの端部には、係合部が設けられ、
前記係合部上には、ランプヘッドと、前記ランプヘッドと係合された保護スリーブと、ランプカバーパッドと、が設けられ、
前記ランプヘッドは、前記昇降モジュール上に嵌設され、前記ランプホルダ内で前記昇降モジュールが縦方向で伸縮し、
前記保護スリーブは、前記ＬＥＤモジュール上に嵌合され、
前記ランプカバーパッドが前記係合部の内側に嵌設されることを特徴とする前記（１）に記載のＬＥＤ灯油ランプ。
（８）前記ランプカバーの下部外側には、回転スリットが設けられ、
前記回転スリットが前記係合部に係合され、前記ランプカバー及び前記ランプホルダが回転されると前記ランプカバーパッド上に当接されることを特徴とする前記（７）に記載のＬＥＤ灯油ランプ。
（９）前記台座をさらに備え、
前記台座は、底蓋と、前記底蓋上を覆う上蓋と、前記上蓋内に取り付けられた電源システムと、を含み、
前記底蓋上には、滑り止めゴム及び鉄板が設けられ、
前記滑り止めゴム及び前記鉄板は、前記台座を固定するために用いられ、
前記上蓋内には、スピーカ及びフレームが取り付けられ、
前記フレーム上には、複数の支持ピンで前記スピーカが固定されることを特徴とする前記（１）に記載のＬＥＤ灯油ランプ。
（１０）前記電源システムは、回路基板、電源及びＢｌｕｅｔｏｏｔｈ（登録商標）レシーバを含み、
ＵＳＢインタフェースにより電源を供給して充電し、
前記回路基板上には、前記ＬＥＤモジュール及び前記スピーカを制御する押しボタンが設けられることを特徴とする前記（９）に記載のＬＥＤ灯油ランプ。
【考案の効果】
【０００６】
本考案者は前記の通りの構成からなるものであり、簡素な構造及びつまみ回転という簡便な操作によりＬＥＤモジュールの回転及び上下動により明るさの強弱を容易に調節することができ、ＬＥＤランプ周囲の雰囲気の醸成に加え、ＬＥＤランプの使用寿命の向上という効果を奏することができる
【図面の簡単な説明】
【０００７】
【図１】図１は、本考案の一実施形態に係るＬＥＤ灯油ランプを示す斜視図である。
【図２】図２は、本考案の一実施形態に係るＬＥＤ灯油ランプを示す分解斜視図である。
【図３】図３は、本考案の一実施形態に係るＬＥＤ灯油ランプを示す断面図である。
【図４】図４は、本考案の一実施形態に係るＬＥＤ灯油ランプのランプホルダ内部を組み立てた状態を示す斜視図である。
【図５】図５は、図４のＡ部分の拡大図である。
【考案を実施するための形態】
【０００８】
図１〜図５を参照する。図１〜図５に示すように、本考案の一実施形態に係るＬＥＤ灯油ランプ１００は、台座１０と、ＬＥＤモジュール６０と、台座１０に係合したランプホルダ２０と、ランプホルダ２０上に取り付けられてＬＥＤモジュール６０を覆うランプカバー９０と、を含む。ランプホルダ２０は、つまみ３０と、つまみ３０と接続された伝動モジュール４０と、伝動モジュール４０と接続された昇降モジュール５０と、伝動モジュール４０と接続されたポテンショメータ７０と、を含む。ＬＥＤモジュール６０は、昇降モジュール５０上に取り付けられる。ポテンショメータ７０は、ＬＥＤモジュール６０と電気的に接続され、ＬＥＤモジュール６０を通過する電流を制御する。
【０００９】
つまみ３０が第１の方向で回転されると、伝動モジュール４０が昇降モジュール５０を駆動してＬＥＤモジュール６０が上方へ移動されるとともに、伝動モジュール４０によりポテンショメータ７０が駆動され、ＬＥＤモジュール６０の明るさが強くなる。つまみ３０が第２の方向で回転されると、伝動モジュール４０が昇降モジュール５０を駆動してＬＥＤモジュール６０が下方へ移動されるとともに、伝動モジュール４０によりポテンショメータ７０が駆動され、ＬＥＤモジュール６０の明るさが弱まり、ＬＥＤモジュール６０の伸縮を調整することによりＬＥＤモジュール６０の明るさを調整することができる。本実施形態の第１の方向は、第２の方向と反対方向である。例えば、第１の方向が時計回りの方向である場合、第２の方向が逆時計回りであり、第１の方向が逆時計回りの方向である場合、第２の方向が時計回りである。
【００１０】
台座１０は、底蓋１１と、底蓋１１上を覆う上蓋１２と、上蓋１２内に取り付けられた電源システム１３と、を含む。底蓋１１上には、滑り止めゴム１４及び鉄板１５が設けられる。滑り止めゴム１４及び鉄板１５は、台座１０を固定するために用いられる。上蓋１２内には、スピーカ１６及びフレーム１７が取り付けられる。フレーム１７上には、複数の支持ピンでスピーカ１６が固定される。電源システム１３は、回路基板、電源及びＢｌｕｅｔｏｏｔｈ（登録商標）レシーバを含み、ＵＳＢインタフェースにより電源を供給して充電する。回路基板上には、ＬＥＤモジュール６０及びスピーカ１６を制御する押しボタンが設けられる。
【００１１】
上述のランプホルダ２０は、つまみ３０と、つまみ３０に接続された伝動モジュール４０と、伝動モジュール４０に接続された昇降モジュール５０と、昇降モジュール５０に取り付けられたＬＥＤモジュール６０と、伝動モジュール４０に接続されたポテンショメータ７０と、を含む。
【００１２】
つまみ３０は、つまみ及び回転軸を含む。回転軸の一端は、つまみと接続され、回転軸の他端は、ランプホルダ２０内に嵌入されて伝動モジュール４０と接続される。
【００１３】
伝動モジュール４０は、ランプカバー９０内でＬＥＤモジュール６０を上下移動させる。伝動モジュール４０は、駆動歯車４１、伝動歯車４２及び従動歯車４３を含むギヤ群である。駆動歯車４１は、つまみ３０の回転軸の端部上に嵌合される。駆動歯車４１は、複数の駆動歯を含む。駆動歯は、駆動歯車４１の周縁に沿って均等に設けられる。伝動歯車４２は、複数の伝動歯を含む。伝動歯は、伝動歯車４２の周縁に沿って均等に設けられ、各伝動歯間には、伝動歯車４２から径方向で突出された複数個の噛合部が形成され、駆動歯が噛合される。従動歯車４３は、複数の外歯及び内歯を含む。外歯は、従動歯車４３の周縁に沿って均等に設けられる。内歯は、従動歯車４３の内縁に沿って均等に設けられて内歯部が形成される。内歯部は、噛合部の中央部に係合され、従動歯車４３の回転により従動歯車４３を回転させ、歯車間のギア比を減らす。本実施形態の伝動モジュール４０は、ウォーム歯車でもよい。
【００１４】
昇降モジュール５０は、伸縮杆５１と、伸縮杆５１上に設けた複数の歯車５２と、を含む。伸縮杆５１は、略帯状に形成される。伸縮杆５１の頂部には、固定部が設けられる。固定部には、ＬＥＤモジュール６０が係合される。歯車５２は、伸縮杆５１の底部に沿って下から上方向へかけて配列され、下斜め前方に傾斜する歯車群が形成される。歯車群は、外歯と噛合され、伝動モジュール４０によりランプホルダ２０内で昇降モジュール５０を上下移動させ、ランプカバー９０内でＬＥＤモジュール６０を上下移動させる。
【００１５】
ＬＥＤモジュール６０は、複数のＬＥＤ灯芯により構成される。ＬＥＤ灯芯は、ランプカバー９０内で上下移動可能なように略長方形に形成される。
【００１６】
ポテンショメータ７０は、ランプホルダ２０内に固定される。ポテンショメータ７０上には、接続部が設けられる。接続部は伝動歯車４２と係合され、伝動歯車４２が回転するとポテンショメータ７０がトリガされ、ポテンショメータ７０内の抵抗値を変化させ、給電回路の電圧及び電流を変化させる。ポテンショメータ７０は、ＬＥＤモジュール６０と電気的に接続され、ＬＥＤモジュール６０を通る電流を制御する。
【００１７】
本実施形態の伝動モジュール４０及び昇降モジュール５０のそれぞれは、絶縁ハウジングであり、詳細にはプラスチックハウジングである。
【００１８】
ランプホルダ２０の端部には、係合部２１が設けられる。係合部２１上には、ランプヘッド２９と、ランプヘッド２９と係合された保護スリーブ２８と、ランプカバーパッド２７と、が設けられる。ランプヘッド２９は、昇降モジュール５０上に嵌設され、ランプホルダ２０内で昇降モジュール５０が縦方向で伸縮する。保護スリーブ２８は、ＬＥＤモジュール６０上に嵌合されてＬＥＤモジュール６０を保護し、ランプの光が保護スリーブ２８を透過して外方へ照射される。ランプカバーパッド２７は、シリコーンスリーブであり、上述したランプカバーパッド２７が係合部２１の内側に嵌設される。本実施形態の保護スリーブ２８は、透明ポリカーボネート材料からなる。
【００１９】
上述したランプカバー９０は、略円筒状に形成され、下から上方向へかけて徐々に小さくなり、ＬＥＤランプ光が下方向から上方向へかけて徐々に合焦され、ＬＥＤランプ光の照射範囲が増大する。ランプカバー９０の下部外側には、回転スリット９１が設けられる。回転スリット９１は、係合部２１と係合し、ランプカバー９０及びランプホルダ２０が回転してランプカバーパッド２７上に当接され、ランプホルダ２０とランプカバー９０とが衝突することを防ぐ。ランプカバー９０の頂端には、ＬＥＤモジュール６０を放熱する開口端が形成される。本実施形態のランプカバー９０は透明材料からなる。詳細には、ランプカバー９０は、ガラス又はポリカーボネート材料からなる。
【００２０】
本実施形態のＬＥＤ灯油ランプ１００は、構造が簡素で、設計が合理的で、見た目が良く、つまみ３０を回転させると昇降モジュール５０が回転し、昇降モジュール５０によりＬＥＤモジュール６０が回転され、ランプカバー９０内でＬＥＤモジュール６０が上下移動し、ＬＥＤモジュール６０の明るさが強くなったり弱くなったりし、ＬＥＤランプの実用度及び使用寿命が向上し、製造コストが少なく、携帯及び使用が容易である。
【符号の説明】
【００２１】
１０  台座
１１  底蓋
１２  上蓋
１３  電源システム
１４  滑り止めゴム
１５  鉄板
１６  スピーカ
１７  フレーム
２０  ランプホルダ
２１  係合部
２７  ランプカバーパッド
２８  保護スリーブ
２９  ランプヘッド
３０  つまみ
４０  伝動モジュール
４１  駆動歯車
４２  伝動歯車
４３  従動歯車
５０  昇降モジュール
５１  伸縮杆
５２  歯車
６０  ＬＥＤモジュール
７０  ポテンショメータ
９０  ランプカバー
９１  回転スリット
１００  ＬＥＤ灯油ランプ
【図１】
0003213272.tif 000003
【図２】
0003213272.tif 000004
【図３】
0003213272.tif 000005
【図４】
0003213272.tif 000006
【図５】
0003213272.tif 000007
【手続補正書】
【提出日】平成29年4月19日(2017.4.19)
【手続補正１】
【補正対象書類名】実用新案登録請求の範囲
【補正対象項目名】全文
【補正方法】変更
【補正の内容】
【実用新案登録請求の範囲】
【請求項１】
台座と、ＬＥＤモジュールと、ランプホルダ上に取り付けられてＬＥＤモジュールを覆うランプカバーと、を備えるＬＥＤ灯油ランプであって、
前記ランプホルダは、つまみと、前記つまみと接続された伝動モジュールと、前記伝動モジュールと接続された昇降モジュールと、前記伝動モジュールと接続されたポテンショメータと、を有し、
前記ＬＥＤモジュールは、前記昇降モジュール上に取り付けられ、
前記ポテンショメータは、前記ＬＥＤモジュールと電気的に接続され、前記ＬＥＤモジュールを通過する電流を制御し、
前記つまみが第１の方向に回転すると、前記伝動モジュールが前記昇降モジュールを駆動して前記ＬＥＤモジュールが上方へ移動するとともに、前記伝動モジュールにより前記ポテンショメータが駆動し、前記ＬＥＤモジュールの明るさが強まり、前記つまみが第２の方向で回転すると、前記伝動モジュールが前記昇降モジュールを駆動して前記ＬＥＤモジュールが下方へ移動するとともに、前記伝動モジュールにより前記ポテンショメータが駆動し、前記ＬＥＤモジュールの明るさが弱まることを特徴とするＬＥＤ灯油ランプ。
【請求項２】
前記伝動モジュールは、駆動歯車、伝動歯車及び従動歯車を含むギヤ群であり、
前記駆動歯車は、複数の駆動歯を有し、
前記駆動歯は、前記駆動歯車の周縁に沿って均等に設けられ、
前記伝動歯車は、複数の伝動歯を含み、
前記伝動歯は、前記伝動歯車の周縁に沿って均等に設けられ、各前記伝動歯間には、前記伝動歯車から径方向で突出された複数個の噛合部が形成され、前記駆動歯が噛合されることを特徴とする請求項１に記載のＬＥＤ灯油ランプ。
【請求項３】
前記従動歯車は、複数の外歯及び内歯を含み、
前記外歯は、前記従動歯車の周縁に沿って均等に設けられ、
前記内歯は、前記従動歯車の内縁に沿って均等に設けられて内歯部が形成され、
前記内歯部は、前記噛合部の中央部に係合されることを特徴とする請求項２に記載のＬＥＤ灯油ランプ。
【請求項４】
前記昇降モジュールは、伸縮杆と、前記伸縮杆上に設けた複数の歯車とを含み、
前記伸縮杆の頂部には、固定部が設けられ、
前記固定部には、前記ＬＥＤモジュールが係合され、
前記歯車は、前記伸縮杆の底部に沿って下から上方向へかけて配列され、下斜め前方に傾斜する歯車群が形成され、
前記歯車群は、外歯と噛合されることを特徴とする請求項１に記載のＬＥＤ灯油ランプ。
【請求項５】
前記ポテンショメータ上には、接続部が設けられ、
前記接続部は、伝動歯車と係合されることを特徴とする請求項１に記載のＬＥＤ灯油ランプ。
【請求項６】
前記伝動モジュール及び前記昇降モジュールのそれぞれは、絶縁ハウジングであることを特徴とする請求項１に記載のＬＥＤ灯油ランプ。
【請求項７】
前記ランプホルダの端部には、係合部が設けられ、
前記係合部上には、ランプヘッドと、前記ランプヘッドと係合された保護スリーブと、ランプカバーパッドと、が設けられ、
前記ランプヘッドは、前記昇降モジュール上に嵌設され、前記ランプホルダ内で前記昇降モジュールが縦方向で伸縮し、
前記保護スリーブは、前記ＬＥＤモジュール上に嵌合され、
前記ランプカバーパッドが前記係合部の内側に嵌設されることを特徴とする請求項１に記載のＬＥＤ灯油ランプ。
【請求項８】
前記ランプカバーの下部外側には、回転スリットが設けられ、
前記回転スリットが前記係合部に係合され、前記ランプカバー及び前記ランプホルダが回転されると前記ランプカバーパッド上に当接されることを特徴とする請求項７に記載のＬＥＤ灯油ランプ。
【請求項９】
前記台座をさらに備え、
前記台座は、底蓋と、前記底蓋上を覆う上蓋と、前記上蓋内に取り付けられた電源システムと、を含み、
前記底蓋上には、滑り止めゴム及び鉄板が設けられ、
前記滑り止めゴム及び前記鉄板は、前記台座を固定するために用いられ、
前記上蓋内には、スピーカ及びフレームが取り付けられ、
前記フレーム上には、複数の支持ピンで前記スピーカが固定されることを特徴とする請求項１に記載のＬＥＤ灯油ランプ。
【請求項１０】
前記電源システムは、回路基板、電源及びＢｌｕｅｔｏｏｔｈ（登録商標）レシーバを含み、
ＵＳＢインタフェースにより電源を供給して充電し、
前記回路基板上には、前記ＬＥＤモジュール及び前記スピーカを制御する押しボタンが設けられることを特徴とする請求項９に記載のＬＥＤ灯油ランプ。
【手続補正書】
【提出日】平成29年8月30日(2017.8.30)
【手続補正１】
【補正対象書類名】実用新案登録請求の範囲
【補正対象項目名】全文
【補正方法】変更
【補正の内容】
【実用新案登録請求の範囲】
【請求項１】
台座と、ＬＥＤモジュールと、ランプホルダ上に取り付けられてＬＥＤモジュールを覆うランプカバーと、を備えるＬＥＤ灯油ランプであって、
前記ランプホルダは、つまみと、前記つまみと接続された伝動モジュールと、前記伝動モジュールと接続された昇降モジュールと、前記伝動モジュールと接続されたポテンショメータと、を有し、
前記ＬＥＤモジュールは、前記昇降モジュール上に取り付けられ、
前記ポテンショメータは、前記ＬＥＤモジュールと電気的に接続され、前記ＬＥＤモジュールを通過する電流を制御し、
前記つまみが第１の方向に回転すると、前記伝動モジュールが前記昇降モジュールを駆動して前記ＬＥＤモジュールが上方へ移動するとともに、前記伝動モジュールにより前記ポテンショメータが駆動し、前記ＬＥＤモジュールの明るさが強まり、前記つまみが第２の方向で回転すると、前記伝動モジュールが前記昇降モジュールを駆動して前記ＬＥＤモジュールが下方へ移動するとともに、前記伝動モジュールにより前記ポテンショメータが駆動し、前記ＬＥＤモジュールの明るさが弱まることを特徴とするＬＥＤ灯油ランプ。
【請求項２】
前記伝動モジュールは、駆動歯車、伝動歯車及び従動歯車を含むギヤ群であり、
前記駆動歯車は、複数の駆動歯を有し、
前記駆動歯は、前記駆動歯車の周縁に沿って均等に設けられ、
前記伝動歯車は、複数の伝動歯を含み、
前記伝動歯は、前記伝動歯車の周縁に沿って均等に設けられ、各前記伝動歯間には、前記伝動歯車から径方向で突出された複数個の噛合部が形成され、前記駆動歯が噛合されることを特徴とする請求項１に記載のＬＥＤ灯油ランプ。
【請求項３】
前記従動歯車は、複数の外歯及び内歯を含み、
前記外歯は、前記従動歯車の周縁に沿って均等に設けられ、
前記内歯は、前記従動歯車の内縁に沿って均等に設けられて内歯部が形成され、
前記内歯部は、前記噛合部の中央部に係合されることを特徴とする請求項２に記載のＬＥＤ灯油ランプ。
【請求項４】
前記昇降モジュールは、伸縮杆と、前記伸縮杆上に設けた複数の歯車とを含み、
前記伸縮杆の頂部には、固定部が設けられ、
前記固定部には、前記ＬＥＤモジュールが係合され、
前記歯車は、前記伸縮杆の底部に沿って下から上方向へかけて配列され、下斜め前方に傾斜する歯車群が形成され、
前記歯車群は、前記外歯と噛合されることを特徴とする請求項３に記載のＬＥＤ灯油ランプ。
【請求項５】
前記ポテンショメータ上には、接続部が設けられ、
前記接続部は、前記伝動歯車と係合されることを特徴とする請求項２又は３のいずれか１項に記載のＬＥＤ灯油ランプ。
【請求項６】
前記伝動モジュール及び前記昇降モジュールのそれぞれは、絶縁ハウジングであることを特徴とする請求項１に記載のＬＥＤ灯油ランプ。
【請求項７】
前記ランプホルダの端部には、係合部が設けられ、
前記係合部上には、ランプヘッドと、前記ランプヘッドと係合された保護スリーブと、ランプカバーパッドと、が設けられ、
前記ランプヘッドは、前記昇降モジュール上に嵌設され、前記ランプホルダ内で前記昇降モジュールが縦方向で伸縮し、
前記保護スリーブは、前記ＬＥＤモジュール上に嵌合され、
前記ランプカバーパッドが前記係合部の内側に嵌設されることを特徴とする請求項１に記載のＬＥＤ灯油ランプ。
【請求項８】
前記ランプカバーの下部外側には、回転スリットが設けられ、
前記回転スリットが前記係合部に係合され、前記ランプカバー及び前記ランプホルダが回転されると前記ランプカバーパッド上に当接されることを特徴とする請求項７に記載のＬＥＤ灯油ランプ。
【請求項９】
前記台座をさらに備え、
前記台座は、底蓋と、前記底蓋上を覆う上蓋と、前記上蓋内に取り付けられた電源システムと、を含み、
前記底蓋上には、滑り止めゴム及び鉄板が設けられ、
前記滑り止めゴム及び前記鉄板は、前記台座を固定するために用いられ、
前記上蓋内には、スピーカ及びフレームが取り付けられ、
前記フレーム上には、複数の支持ピンで前記スピーカが固定されることを特徴とする請求項１に記載のＬＥＤ灯油ランプ。
【請求項１０】
前記電源システムは、回路基板、電源及びＢｌｕｅｔｏｏｔｈ（登録商標）レシーバを含み、
ＵＳＢインタフェースにより電源を供給して充電し、
前記回路基板上には、前記ＬＥＤモジュール及び前記スピーカを制御する押しボタンが設けられることを特徴とする請求項９に記載のＬＥＤ灯油ランプ。